(57)【要約】【課題】本発明の目的は、ユーザの状態を検知するシステムにおいてユーザの手間を煩わさせない検知システムを提供することである。【解決手段】表示装置を操作するためのリモートコントローラ（２００）と、前記リモートコントローラから送られてきた情報を受信する受信部（１２０）と、前記受信した情報に基づいて、前記リモートコントローラの操作を検知する制御部（１４０）と、前記制御部で検知した操作履歴を記憶する記憶部（１７０）を備える検知システム。【選択図】　　　図１
2004086667.tif 000002
【特許請求の範囲】
【請求項１】
表示装置を操作するためのリモートコントローラと、
前記リモートコントローラから送られてきた情報を受信する受信部と、
前記受信した情報に基づいて、前記リモートコントローラの操作を検知する制御部と、
前記制御部で検知した操作履歴を記憶する記憶部を備える検知システム。
【請求項２】
ユーザの動きを感知するセンサをさらに備え、
前記制御部は、前記センサからの情報を元に、前記ユーザが動いているか否かを判断し、前記記憶部は、前記ユーザの動作履歴も記憶することを特徴とする請求項１記載の検知システム。
【請求項３】
表示装置を操作するためのリモートコントローラと、前記リモートコントローラから送られてきた情報を受信する受信部と、前記受信した情報に基づいて、前記リモートコントローラの操作を検知する制御部と、前記制御部で検知した操作履歴を記憶する記憶部を備える検知システムから、通信網を介して、前記操作履歴を受信する他の受信部と、
前記他の受信部が受信した情報を表示させる他の表示装置を備える監視システム。
【請求項４】
請求項３記載の監視システムに適用される検知システムが、ユーザの動きを感知するセンサをさらに備え、前記制御部は前記センサからの情報を元に、前記ユーザが動いているか否かを判断し、前記記憶部は前記ユーザの動作履歴も記憶し、
前記他の受信部は、前記通信網を介して、前記ユーザの操作履歴または動作履歴を受信し、
前記通信網を介して、前記ユーザの操作履歴または動作履歴に基づいて、前記ユーザの安否を判断し、前記他の表示装置に表示させる制御手段をさらに備えることを特徴とする請求項３記載の監視システム。
【請求項５】
前記制御手段は、前記通信網を介して、前記検知システムのセンサを制御することによって、前記ユーザの動作を確認することを特徴とする請求項４記載の監視システム。
【請求項６】
表示装置を操作するためのリモートコントローラから送られてきた情報を受信し、
前記受信した情報に基づいて、前記リモートコントローラの操作を検知し、
通信網を介して、前記検知した操作履歴を受信し、
前記通信網を介して受信した情報を表示させる監視方法。
【発明の詳細な説明】
【０００１】
【発明の属する技術分野】
本発明は、ユーザの状態を検知するシステムに関し、特に、テレビのリモコンを利用して、ユーザの安否を検知するシステムに関する。
【０００２】
【従来の技術】
高齢者社会における独り暮らしの老人の安否を確認することができる監視システムとしては、特開２００２−４９９８０号公報に記載されているように、複数のセンサを家屋内に適宜配設して、これらセンサのオンオフ状態がＰＣ（パーソナルコンピュータ）に入力され、ＰＣから監視センターへ監視情報が通知されていた。センサの配置場所としては、例えば、光電センサを居間の出入り口に、または、感圧センサを寝室のベッドに配置していた。
【０００３】
【発明が解決しようとする課題】
しかし、上述した従来の技術では、ユーザがセンサの設置などをしなければならず、手間がかかっていた。
本発明の目的は、上記問題点に考慮し、ユーザの状態を検知するシステムにおいてユーザの手間を煩わさせない検知システムを提供することである。
【０００４】
【課題を解決するための手段】
第１の発明は、表示装置を操作するためのリモートコントローラと、前記リモートコントローラから送られてきた情報を受信する受信部と、前記受信した情報に基づいて、前記リモートコントローラの操作を検知する制御部と、前記制御部で検知した操作履歴を記憶する記憶部を備える検知システムである。
【０００５】
第２の発明は、ユーザの動きを感知するセンサをさらに備え、前記制御部は、前記センサからの情報を元に、前記ユーザが動いているか否かを判断し、前記記憶部は、前記ユーザの動作履歴も記憶することを特徴とする第１の発明記載の検知システムである。
【０００６】
第３の発明は、表示装置を操作するためのリモートコントローラと；前記リモートコントローラから送られてきた情報を受信する受信部と；前記受信した情報に基づいて、前記リモートコントローラの操作を検知する制御部と；前記制御部で検知した操作履歴を記憶する記憶部を備える検知システムから、通信網を介して、前記操作履歴を受信する他の受信部と、前記他の受信部が受信した情報を表示させる他の表示装置を備える監視システムである。
【０００７】
第４の発明は、第３の発明記載の監視システムに適用される検知システムが、ユーザの動きを感知するセンサをさらに備え、前記制御部は前記センサからの情報を元に、前記ユーザが動いているか否かを判断し、前記記憶部は前記ユーザの動作履歴も記憶し、前記他の受信部は、前記通信網を介して、前記ユーザの操作履歴または動作履歴を受信し、前記通信網を介して、前記ユーザの操作履歴または動作履歴に基づいて、前記ユーザの安否を判断し、前記他の表示装置に表示させる制御手段をさらに備えることを特徴とする第３の発明記載の監視システムである。
【０００８】
第５の発明は、前記制御手段は、前記通信網を介して、前記検知システムのセンサを制御することによって、前記ユーザの動作を確認することを特徴とする第４の発明記載の監視システムである。
【０００９】
第６の発明は、表示装置を操作するためのリモートコントローラから送られてきた情報を受信し、前記受信した情報に基づいて、前記リモートコントローラの操作を検知し、通信網を介して、前記検知した操作履歴を受信し、前記通信網を介して受信した情報を表示させる監視方法である。
【００１０】
【発明の実施の形態】
以下、本発明の実施の形態について図面を参照しながら説明する。
（検知システム）
図１は本発明の実施形態に係る検知システムの概略図であり、同図（ａ）はテレビ１００及びこのテレビ用の赤外線リモコン（リモートコントローラ）２００を示し、同図（ｂ）はテレビ１００の内部構造を示す。以下の説明ではテレビ１００の主電源はＯＮになっていることを前提として説明する。
【００１１】
まず、赤外線リモコン２００を利用してテレビの表示部１１０にコンテンツ例えばテレビ番組を表示させる手順を説明する。ユーザは赤外線リモコン２００の電源ボタン又はチャンネル指定ボタンを操作することによって、観たい番組を指定する。赤外線リモコン２００からの無線情報はリモコン受信部１２０に入力され、制御部１４０で解読される。そして制御部１４０では、解読した情報に応じたチャンネル情報または音量の上げ下げを指示する情報をチューナ１６０へ送る。チューナ１６０ではこのチャンネル情報に応じてアンテナ１５０などで受信したテレビ番組を表示部１１０へ表示させる。この一連の手順によって、ユーザは観たいテレビ番組を視聴することができる。
【００１２】
そして、制御部１４０にタイマー（不図示）を設けておけば、このようなユーザの赤外線リモコン２００の操作履歴は、ＨＤＤ（ハードディスクドライブ）やフラッシュメモリなどの記憶部１７０に記憶させることができ、ユーザの操作状況を検知することができる。
【００１３】
このようにすれば、記憶部１７０に記憶されているユーザの操作履歴を制御部１４０、通信用インターフェース１８０を介して、インターネット３００に接続されているユーザの知人に送ることができる。例えば、ユーザが高齢者であっても、本システムを使うことによって、ユーザと離れて暮らす家族などにユーザの操作履歴を送ることによって、ユーザの生活状況を知らせることが可能である。また本システムでわかるユーザの生活状況は、日常使うテレビの赤外線リモコンの操作履歴であるため、例えば、居間の出入り口に設けられた光電センサ、または、寝室のベッドに設けられた感圧センサのように設置が必要なセンサを不要とし、単にユーザが生活する部屋に、毎日頻繁に使用する家電製品であり、また省電力設計されているテレビを置くだけで済むという点で、従来のユーザ監視システムと異なり、センサの設置が楽である。さらに、赤外線リモコンの使用回数が多くても恥ずかしくなく、またカメラのように監視されるという不快感がなく、ユーザのプライバシーの尊重が守られている。
【００１４】
（超音波センサを使用する場合）
次に、同図に示すように、テレビ１００に距離センサ超音波センサ等の距離センサ１３０が予め設けられている場合の、ユーザの動きを検知するシステムを説明する。超音波センサ１３０は超音波距離計として使用できる。計測方法としては、被測定物（本実施形態の場合は、ユーザ）に超音波パルス信号をあて、被測定物からはねかえった信号を受信するまでの時間から距離を求める方法を用いる。
【００１５】
この超音波センサ１３０を使えば、制御部１４０は超音波センサ１３０を制御し、所定の時間毎に超音波パルスをユーザにあて、ユーザの動作履歴を記憶部１７０に記憶しておくことができ、ユーザの動作状況を検知することができる。また、ユーザが所定時間経過しても、動かない場合には、テレビはついていても、ユーザが気を失っている、もしくは倒れていると、制御部１４０は判断し、ユーザの安否をインターネット３００を介してユーザの知人に連絡することができる。
【００１６】
さらに、超音波センサ１３０はＩＰｖ６（Ｉｎｔｅｒｎｅｔ　Ｐｒｏｔｏｃｏｌ　Ｖｅｒｓｉｏｎ　６）に対応している場合には、ユーザの知人は後述する監視側テレビの制御部によって、インターネット３００を介して超音波センサ１３０を制御でき、部屋中に超音波パルスをあてることによって、ユーザがどこにいるかをリアルタイムで確認でき、時間を置いても動かないようであれば、倒れていると推測することができる。またカメラのように監視されるという不快感がなく、ユーザのプライバシーの尊重が守られている。
【００１７】
（監視システム）
図２は、図１で説明した検知システム（検知専用テレビ１００）を用いた監視システムの概略図であり、説明の簡略化のためテレビの構成としては表示部だけを図示している。検知専用テレビ１００、検知及び監視の両方ができる検知＆監視テレビ４００及び監視専用テレビ５００はインターネット３００で接続されており、監視側テレビには検知側テレビのアイコンが画面上に表示されている。例えば、検知＆監視テレビ４００には検知専用テレビ１００のアイコンが、そして、監視専用テレビ５００には検知専用テレビ１００及び検知＆監視テレビ４００のアイコンが設けられている。なお、同図中では、簡略化のため、検知専用テレビ１００のアイコン、検知＆監視テレビ４００のアイコンはそれぞれ単に”１００”、”４００”と示した。
【００１８】
（検知情報の入手方法）
図３は、検知側テレビが検知した情報を監視側テレビが入手する方法を説明するためのフローチャートである。ここでは、図２の監視専用テレビ５００が検知専用テレビ１００が検知した情報を入手する場合について説明する。監視専用テレビは検知専用テレビにＩＤ，パスワードをインターネット経由で送信する（Ｓ１００）。送信方法については、監視専用テレビの画面上のアイコンをクリックすれば自動的に送るようにしてもよいし、また、定期的（例えば１時間毎）に送るように予め設定しておいてもよい。検知専用テレビの制御部では受信したＩＤ，パスワードをもとに検知した情報を送ってよい相手かを判断してから、検知情報を送る。この一連の手続きによって、監視専用テレビの受信部（不図示）は検知情報を受信することができる（Ｓ１１０）。このようなＩＤ，パスワードを使うことによって、検知専用テレビは特定の監視専用テレビにのみ検知情報を提供することができる。検知専用テレビのユーザのプライバシーを守ることができる。
【００１９】
次に、受信した情報の表示方法について説明する。監視専用テレビの制御部（不図示）では、受信情報をテキスト表示またはアイコン表示のどちらかを選択することができる（Ｓ１２０）。テキスト表示を選択した場合には、図２に示すように検知専用テレビ１００から受信した情報を”１００　→　ＴＶ−ＯＮ；　０８：０２　ＴＶ−ＯＦＦ；　１０：３０”と監視側テレビの表示部に表示できる（Ｓ１３０）。また、テキスト表示を選択した場合には、検知専用テレビのユーザが送ってきたショートメールの内容などを表示することができる。例えば”４／２７〜５／６：旅行中”と表示させておけば、その期間中、検知されるユーザがテレビを利用しなくても、無用な心配をする必要がなくなる。
【００２０】
一方、アイコン表示を選択した場合（Ｓ１２０のＮｏ）には、まず、テレビの電源が入っているかを受信情報をもとに確認する（Ｓ１４０）。続いて、所定時間（例えば１時間）以内にリモコンアクセスがあるか無いかを確認する（Ｓ１５０）。アクセスがあれば、元気であると判断し、元気１００％を示すアイコン（例えば大笑いマーク）を表示させる（Ｓ１６０）。また、アクセスが無い場合には、さらに、所定時間（例えば１時間）以内に超音波センサがユーザの動き（例えば出入りなど）を感知できたか否かを確認する（Ｓ１７０）。感知できれば、ほぼ元気であると判断し、元気８０％を示すアイコン（例えば笑顔マーク）を表示させる（Ｓ１８０）。感知できない場合には、不安であると判断して、不安を示すアイコン（例えば泣顔マーク）を表示させる（Ｓ１９０）。この不安を示すアイコンは、テレビの電源が入っていない場合（Ｓ１４０のＮｏ）にも表示させてもよい。このようなアイコンを利用することによって、監視する側の人は、直感的に、監視される側の安否を判断することができる。
【００２１】
上述したテキスト表示またはアイコン表示は、監視専用テレビのいわゆるブルー画面（テレビの主電源は入れたままの状態で適切なチャンネルに設定していない状態）に表示させておいてもよい。このように表示させておけば、監視する側がテレビ番組を観ていなくても、２４時間監視することができる。
【００２２】
上述した実施の形態は、本発明の好適な具体例であるから、技術的に好ましい種々の限定が付されているが、本発明の趣旨を逸脱しない範囲であれば、適宜組合わせ及び変更することができることはいうまでもない。例えば、超音波センサ１３０の代わりに赤外線センサを利用してもよいし、テレビ１００は単なる表示装置であって、制御部１４０、記憶部１７０、及び通信用インターフェース１８０はホームサーバに設けられていてもよい。また、赤外線リモコン２００はデータの送受信を考慮したＩｒＤＡ（Ｉｎｆｒａｒｅｄ　Ｄａｔａ　Ａｓｓｏｃｉａｔｉｏｎ）やＢｌｕｅｔｏｏｔｈに対応していてもよい。
【００２３】
【発明の効果】
上述したように本発明によれば、ユーザの状態を検知するシステムにおいてユーザの手間を煩わさせない検知システムを提供することができる。
【図面の簡単な説明】
【図１】本発明の実施形態に係る検知システムの概略図。
【図２】図１で説明した検知システム（検知専用テレビ）を用いた監視システムの概略図。
【図３】検知側テレビが検知した情報を監視側テレビが入手する方法を説明するためのフローチャート。
【符号の説明】
１００　テレビ（検知専用テレビ）
１１０　表示部
１２０　リモコン受信部
１３０　超音波センサ
１４０　制御部
１５０　アンテナ
１６０　チューナ
１７０　記憶部
１８０　通信用インターフェース
２００　赤外線リモコン
３００　インターネット
４００　検知＆監視テレビ
５００　監視専用テレビ
【図１】
2004086667.tif 000003
【図２】
2004086667.tif 000004
【図３】
2004086667.tif 000005